(57)【要約】【課題】付加部品を用いることなく、容易に最終段階で電源コード部を取り付けることを可能にして、製造時の作業性を大幅に向上させることができる電子機器及びその流動方法を提供する。【解決手段】本体ケース１１１において電源コード１２１の導線１２１ａの半田ランド１１４ｄが形成されている基板１１４上の部位は、露出している。また、この基板１１４には、導線１２１を半田ランド１１４ｄに半田付けする際に利用される導線通過スリット１１４ｂ及び導線孔１１４ｃが設けられている。そして、検査調整工程の終了後、カバーが、露出されている基板１１４上の部位の上方を覆うように本体ケース１１１と一体化されるような構成になっている。【選択図】図１
2005116382.tif 000002
【特許請求の範囲】
【請求項１】
この機器に含まれる電子部品に電源供給するための電源コードの導線が半田付けされる半田ランドが形成されている基板上の部位、を少なくとも露出させ且つこの基板を保持収容する本体ケースと、
前記露出されている基板上の部位の上方を覆うように前記本体ケースと一体化されるカバーと、
前記導線を前記半田ランドに半田付けする際に少なくともこの導線の位置決め用として機能する、前記基板に設けられた位置決め手段と、
を含むことを特徴とする電子機器。
【請求項２】
請求項１記載の電子機器において、
前記位置決め手段は、
前記導線の外径よりもやや大きく、前記半田ランドの中央部に穿設された導線孔と、
前記導線孔と前記基板の縁部との間に形成された導線通過スリットと、から構成される、
ことを特徴とする電源コードを有する電子機器。
【請求項３】
請求項１記載の電子機器において、
前記位置決め手段は、
前記半田ランドと同じ基板面上における前記半田ランドと前記基板の縁部との間に設けられて、前記電源コードの被覆部を加締め圧着する固定金具である、
ことを特徴とする電子機器。
【請求項４】
請求項１〜３のいずれか一項に記載の電子機器において、
商用電源で駆動するガス漏れ警報器である、
ことを特徴とする電子機器。
【請求項５】
請求項１〜４のいずれか一項に記載の電子機器の製造時における流動方法であって、
前記電源コードを前記本体ケースに取り付ける作業と前記カバーを前記本体ケースに取り付ける作業を残して、この電子機器に関する一連の組立作業を行う第１組立工程と、
前記第１組立工程終了状態におけるこの電子機器に関する検査及び調整を行う検査調整工程と、
前記検査調整工程に続いて、前記位置決め手段を利用して前記導線を前記半田ランドに半田付けすることにより、前記電源コードを前記本体ケースに取り付ける第２組立工程と、
前記第２組立工程に続いて、前記カバーを前記本体ケースに取り付ける第３組立工程と、
を含むことを特徴とする電子機器の製造時における流動方法。
【発明の詳細な説明】
【技術分野】
【０００１】
本発明は、電子機器及びその製造時における流動方法に関し、特に、商用電源で駆動するガス漏れ警報器等の電子機器及びその製造時における流動方法に関する。
【背景技術】
【０００２】
ガス漏れ警報器等の電子機器には商用電源で駆動するタイプのものが多く存在する。この種の電子機器はプラグが取り付けられた電源コード部を有しているため、これに係る種々の問題があった。以下にこの問題を図面を用いて説明する。図６及び図７は、従来のこの種のガス漏れ警報器の基本構成を示す図である。なお、図６及び図７は、ガス漏れ警報器の断面形状に対応している。
【０００３】
図６に示すガス漏れ警報器８の外形は箱型をしており、本体ケース８１１側と電源コード部１２側とから基本構成されている。本体ケース８１１に収容された基板８１４の実装面（図中下面）には、ガスセンサＳやマイコンＭ等の各種電子部品が搭載されている。各電子部品の端子は、基板８１４を貫通して、半田ランドや配線パターンが印刷された基板８１４のパターン面（図中上面）にて半田８１５付けされている。このパターン面上には、各種電子部品に電源供給するための電源コード１２１の導線１２１ａが半田８１５付けされている。
【０００４】
電源コード１２１は、基板８１４の実装面からパターン面に導線が貫通されて上述のように半田付けされると共に、ブッシュ１２３を介して本体ケース８１１側のブッシュ固定壁８１２に固定されて外部に導出されている。そして、その一端には、商用電源に電気接続するためのプラグ１２２が取り付けられている。なお、このような電源コード１２１に関わる部位を電源コード部１２とよぶ。
【０００５】
ところで、周知のように、ガス漏れ警報器をはじめとする電子機器類は、検査工程や調整工程を経て、製造されて出荷される。この検査工程や調整工程は、できるだけ出荷製品に近い状態で行う必要がある。すなわち、図６に示すような、電子部品が実装された基板８１４が本体ケース８１１に収容された状態で検査や調整を行う必要がある。特に、ガス漏れ警報器においては、運用時に正確に警報を行うために、ガス濃度の検査や調整は、センサＳが本体ケース８１１に収容された状態で行う必要がある。
【０００６】
このため、製造時において警報器は、図６に示すような電源コード部１２が取り付けられた状態で、検査工程や調整工程をはじめとする他工程を流動することになり、作業性が好ましくなかった。そこで、図７に示すように、電源コード部１２を最終段階で取り付け可能なようにしたガス漏れ警報器９が提案されている。
【０００７】
図７に示すガス漏れ警報器９の外形も箱型をしており、本体ケース９１１側と電源コード部１２側とから基本構成されている。図６の従来例と同様、本体ケース９１１に収容された基板９１４の実装面には、ガスセンサＳやマイコンＭ等の各種電子部品が搭載され、それらの端子は、基板９１４を貫通して、半田ランドや配線パターンが印刷されたパターン面にて半田９１５付けされている。このパターン面上には、メス型電源コネクタ９１２の端子９１２ａも半田９１５付けされている。
【０００８】
そして、上記メス型電源コネクタ９１２に嵌合可能なオス型電源コネクタ１２４が電源コード１２１に取り付けられており、最終段階までは電源コード部１２を取り外した状態で流動できるようにしている。
【発明の開示】
【発明が解決しようとする課題】
【０００９】
しかしながら、図７の従来例は、部品点数の増加、構成の複雑化、筐体の大型化、これにともなうコスト高を招くものであった。すなわち、図７の従来例を、図６の従来例と比較すると明らかなように、付加された両コネクタ９１２、１２４の分だけ筐体が大型化すると共に複雑化していることがわかる。
【００１０】
よって本発明は、上述した現状に鑑み、コネクタ等の付加部品を用いることなく、容易に最終段階で電源コード部を取り付けることを可能にして、製造時の作業性を大幅に向上させることができる電子機器及びその流動方法を提供することを課題としている。
【課題を解決するための手段】
【００１１】
上記課題を解決するためになされた請求項１記載の電子機器は、この機器に含まれる電子部品に電源供給するための電源コードの導線が半田付けされる半田ランドが形成されている基板上の部位、を少なくとも露出させ且つこの基板を保持収容する本体ケースと、前記露出されている基板上の部位の上方を覆うように前記本体ケースと一体化されるカバーと、前記導線を前記半田ランドに半田付けする際に少なくともこの導線の位置決め用として機能する、前記基板に設けられた位置決め手段と、を含むことを特徴とする。
【００１２】
請求項１記載の発明によれば、本体ケースにおいて電源コードの導線の半田ランドが形成されている基板上の部位は、露出している。また、この基板には、導線を半田ランドに半田付けする際にこの導線の位置決め用として機能する位置決め手段が設けられている。そして、カバーは、露出されている基板上の部位の上方を覆うように本体ケースと一体化されるような構成になっている。このように、カバーを取り付けるまでは、本体ケースの導線の半田ランドが形成されている基板上の部位は露出しており、基板には導線の位置決め用として機能する位置決め手段が設けられているので、この機器の製造時の最終段階で電源コードだけを半田付けにより簡単に取り付けることができる。
【００１３】
上記課題を解決するためになされた請求項２記載の電子機器は、請求項１記載の電子機器において、前記位置決め手段は、前記導線の外径よりもやや大きく、前記半田ランドの中央部に穿設された導線孔と、前記導線孔と前記基板の縁部との間に形成された導線通過スリットと、から構成される、ことを特徴とする。
【００１４】
請求項２記載の発明によれば、導線を半田ランドに半田付けするに際し、通過スリットを利用して、容易に導線を半田ランドの中央部に穿設された導線孔まで導き、正確に位置決めすることができる。
【００１５】
上記課題を解決するためになされた請求項３記載の電子機器は、請求項１記載の電子機器において、前記位置決め手段は、前記半田ランドと同じ基板面上における前記半田ランドと前記基板の縁部との間に設けられて、前記電源コードの被覆部を加締め圧着する固定金具である、ことを特徴とする。
【００１６】
請求項３記載の発明によれば、導線を半田ランドに半田付けするに際し、加締め前の固定金具を利用して、容易に導線を半田ランドに対して位置決めし、固定金具の加締め圧着により電源コードを固定することができる。
【００１７】
上記課題を解決するためになされた請求項４記載の電子機器は、請求項１〜３のいずれか一項に記載の電子機器において、商用電源で駆動するガス漏れ警報器である、ことを特徴とする。
【００１８】
請求項４記載の発明によれば、ガス漏れ警報器に必須の検出濃度調整や検査作業は、センサ等の実装部品を本体ケースに取り付けた状態で正確に行うことができるうえに、最終段階で商用電源を供給するための電源コードを半田付けにより容易に取り付けることができる。
【００１９】
上記課題を解決するためになされた請求項５記載の流動方法は、請求項１〜４のいずれか一項に記載の電子機器の製造時における流動方法であって、前記電源コードを前記本体ケースに取り付ける作業と前記カバーを前記本体ケースに取り付ける作業を残して、この電子機器に関する一連の組立作業を行う第１組立工程と、前記第１組立工程終了状態におけるこの電子機器に関する検査及び調整を行う検査調整工程と、前記検査調整工程に続いて、前記位置決め手段を利用して前記導線を前記半田ランドに半田付けすることにより、前記電源コードを前記本体ケースに取り付ける第２組立工程と、前記第２組立工程に続いて、前記カバーを前記本体ケースに取り付ける第３組立工程と、を含むことを特徴とする。
【００２０】
請求項５記載の発明によれば、第２組立工程において、位置決め手段を利用して導線を半田ランドに半田付けすることにより電源コードを本体ケースに取り付け、これに続く第３組立工程において、カバーを本体ケースに取り付けるようにしている。したがって、半田付けによる電源コードの取付けを維持しつつ、検査調整工程等ではコードレス状態で製品を流動させることができる。
【発明の効果】
【００２１】
請求項１記載の発明によれば、カバーを取り付けるまでは、本体ケースの導線の半田ランドが形成されている基板上の部位は露出しており、基板には導線の位置決め用として機能する位置決め手段が設けられているので、この機器の製造時の最終段階で電源コードだけを半田付けにより簡単に取り付けることができる。すなわち、最終段階に至るまではコードレス状態で製品を流動させ、最終段階で半田付けにより電源コードを取り付けることができる。したがって、半田付けによる電源コードの取付けを維持しつつ、コードレス状態で製品を流動させることができるので、電子機器を大型化、複雑化させることなく、且つ、製造時の作業性を大幅に向上させることができる。
【００２２】
請求項２記載の発明によれば、導線を半田ランドに半田付けするに際し、通過スリットを利用して、容易に導線を半田ランドの中央部に穿設された導線孔まで導き、正確に位置決めすることができる。したがって、最終段階での半田付けを伴う電源コードの取り付けがより簡単になり、更に電子機器の製造時の作業性を向上させることができる。
【００２３】
請求項３記載の発明によれば、導線を半田ランドに半田付けするに際し、加締め前の固定金具を利用して、容易に導線を半田ランドに対して位置決めし、固定金具の加締め圧着により電源コードを固定することができる。したがって、最終段階での半田付けを伴う電源コードの取り付けがより正確かつ簡単になり、更に電子機器の製造時の作業性を向上させることができる。
【００２４】
請求項４記載の発明によれば、ガス漏れ警報器に必須の検出濃度調整や検査作業は、センサ等の実装部品を本体ケースに取り付けた状態で正確に行うことができるうえに、最終段階で商用電源を供給するための電源コードを半田付けにより容易に取り付けることができる。したがって、商用電源で駆動するガス漏れ警報器に利用されて、正確に検出濃度調整や検査を行うことができ、その製造時の作業性を向上させることができる。
【００２５】
請求項５記載の発明によれば、第２組立工程において、位置決め手段を利用して導線を半田ランドに半田付けすることにより電源コードを本体ケースに取り付け、これに続く第３組立工程において、カバーを本体ケースに取り付けるようにしている。したがって、半田付けによる電源コードの取付けを維持しつつ、検査調整工程等ではコードレス状態で製品を流動させることができるので、電子機器を大型化、複雑化させることなく、且つ、製造時の作業性を大幅に向上させることができる。
【発明を実施するための最良の形態】
【００２６】
[第１実施形態]
図１及び図２は、本発明の第１実施形態に係り、図１（Ａ）は、電源コード部の取り付け前のガス漏れ警報器の状態を示す斜視図であり、図１（Ｂ）は、図１（Ａ）の半田ランド近傍を示す正面図である。図２（Ａ）は、電源コード部の取り付け後のガス漏れ警報器の状態を示す斜視図であり、図２（Ｂ）は、図２（Ａ）の半田ランド近傍を示す正面図である。
【００２７】
図１（Ａ）に示すように、ガス漏れ警報器１の外形は箱型をしており、本体ケース１１１側と電源コード部１２側とから基本構成されている。本体ケース１１１内部には、電源コード部１２に取り付けられたブッシュ１２３に対応した形状のブッシュ固定部１１２ａが設けられたブッシュ固定壁１１２が立設されている。また、本体ケース１１１の内壁には、基板１１４を所定部位に固定するための複数の係止爪１１３が一体形成されている。
【００２８】
基板１１４の実装面（図中下面）には、図示しないガスセンサやマイコン等の各種電子部品が搭載されている。各電子部品の端子は、基板１１４を貫通して、半田ランドや配線パターンが印刷された基板１１４のパターン面（図中上面）にて半田付けされている。このパターン面上には、各種電子部品に電源供給するための電源コード１２１の導線１２１ａが半田付けされる半田ランド１１４ｄ等が形成されている。また、パターン面上には、電源コード部１２が取り付けられる前の検査工程や調整工程において、試験用電源を一時的に供給するための電源供給ランド１１４ｅも形成されている。
【００２９】
半田ランド１１４ｄの近傍の基板１１４上には、図１（Ｂ）に示すように、矩形状に切り欠かれた切欠部１１４ａ、半田ランド１１４ｄの中央部に穿設された導線孔１１４ｃ、導線孔１１４ｃ、切欠部１１４ａの一辺（請求項２の基板の縁部に対応）との間に形成された導線通過スリット１１４ｂ、が形成されている。補足すると、円形状の導線孔１１４ｃは、導線１２１ａの外径よりもやや大きく、この導線孔１１４ｃを半田ランド１１４ｄが円環状に周回するように形成されている。但し、導線孔１１４ｃ及び半田ランド１１４ｄ共に、導線通過スリット１１４ｂが形成される部分は、スリット状に切りかかれている。導線通過スリット１１４ｂは、導線孔１１４ｃの直径よりも狭いが、導線１２１ａが通過することができるような幅に設定されている。なお、導線通過スリット１１４ｂ及び導線孔１１４ｃは、請求項の位置決め手段に対応する。
【００３０】
半田ランド１１４ｄは、円環状に形成することが半田付けの際に有利であるが、その他の形状であってもよい。また、切欠部１１４ａはスペース効率を高めたり、電源コード部１２の取付時に有利であるが必ずしも必要ではないし、矩形状である必要もない。また、図示しないが、この本体ケース１１１の開口面には、開口面と略同形状のカバーが覆設される。いうまでもなく、このカバーは、図１（Ａ）に示すように、半田ランド１１４ｄ近傍の露出されている部位の上方を覆うように本体ケース１１１に一体化され、これと同時にブッシュ固定壁１１２に嵌合されたブッシュ１２３を上方から挟持する。
【００３１】
電源コード部１２は、電源コード１２１、プラグ１２２及びブッシュ１２３を含んで構成される。プラグ１２２は、商用電源が供給されるコンセントに接続される。電源コード１２１の中途に取り付けれたブッシュ１２３は、電源コード部１２を本体ケース１１１側に固定するためのものである。電源コード１２１は周知のように導線１２１ａとこれを覆う絶縁性の被覆部とから構成される。電源コード１２１のプラグ１２２が取り付けられていない側の一端は、半田ランド１１４ｄに半田付けするために導線１２１ａが剥き出された状態になっている。
【００３２】
検査及び調整等が終了して最終段階に入り、電源コード部１２を本体ケース１１１側に取り付ける際には、電源コード１２１先端の導線１２１ａを、図１（Ａ）の矢印の方向に移動させて、導線１２１ａを導線通過スリット１１４ｂを通過させて導線孔１１４ｃまで導くと同時にブッシュ１２３をブッシュ固定部１１２ａに嵌合させる。この作業を容易にするために、両導線１２１ａが上を向くように電源コード１２１を折り曲げ、かつ、両導線１２１ａの幅を両導線孔１１４ｃの幅に合わせておくと共に、ブッシュ１２３をブッシュ固定壁１１２から導線孔１１４ｃまでの距離に基づく所定位置に予め取り付けておくことが好ましい。
【００３３】
導線１２１ａを導線孔１１４ｃまで導いた後には、導線１２１ａは半田ランド１１４ｄに沿わせるようにやや折り曲げられる。そして、図２（Ａ）及び図２（Ｂ）に示すように、折り曲げた導線１２１ａが半田ランド１１４ｄに半田１１５付けされる。最後に、図示しないカバーが、本体ケース１１１の開口面に覆設される。
【００３４】
[第２実施形態]
図３及び図４は、本発明の第２実施形態に係り、図３（Ａ）は、電源コード部の取り付け前のガス漏れ警報器の状態を示す断面図であり、図３（Ｂ）は、図３（Ａ）の半田ランド近傍を示す斜視図である。図４（Ａ）は、電源コード部の取り付け後のガス漏れ警報器の状態を示す断面図であり、図４（Ｂ）は、図４（Ａ）の半田ランド近傍を示す斜視図である。
【００３５】
図３（Ａ）に示すガス漏れ警報器２の外形は箱型をしており、本体ケース２１１側と電源コード部１２側とから基本構成されている。本体ケース２１１に取り付けられた基板２１４の実装面（図中下面）には、ガスセンサＳやマイコンＭ等の各種電子部品が搭載されている。各電子部品の端子は、基板２１４を貫通して、配線パターンが印刷された基板２１４のパターン面（図中上面）にて半田２１５付けされている。また、パターン面側に形成された半田ランド２１４ｄには、各種電子部品に電源供給するための電源コード１２１の導線１２１ａが半田付けされる。また、図示しないが、パターン面上には、電源コード部１２が取り付けられる前の検査工程や調整工程において、試験用電源を一時的に供給するための電源供給ランドも形成されている。
【００３６】
半田ランド２１４ｄの近傍の基板２１４上には、図３（Ｂ）に示すように、電源コード１２１の被覆部を加締め圧着するタイプの固定金具２１４ａが取り付けられられている。詳しくは、固定金具２１４ａは、基板２１４の縁部と半田ランド２１４ｄとの略中間部に取り付けられられている。固定金具２１４ａは、例えば、銅下地半田メッキ処理されたものであり、電源コードを加締め圧着するための複数のバレル２１４ａ及び２１４ｂが立設されている。バレル２１４ａ及び２１４ｂ間の距離は、圧着する電線の直径よりやや広いものを選択することが好ましい。半田ランド２１４ｄは、ここでは四角形状に形成しているが、その他の形状であってもよい。なお、固定金具２１４ａは、電源コードを固定する機能も有するが、取り付け初期には電源コードを正確に位置決めする機能も有し、請求項の位置決め手段に対応する。
【００３７】
電源コード部１２は、図１の第１実施形態と同様であるので重複説明は省略する。電源コード１２１のプラグ１２２が取り付けられていない側の一端は、ここでも、半田ランド２１４ｄに半田付けするために導線１２１ａが剥き出された状態になっている。なお、電源コード部１２を本体ケース２１１側に取り付ける前には、下ケース２１６を本体ケース２１１に取り付けておく。そして、この状態で検査及び調整を行うようにする。これは、検査及び調整は、できるだけ出荷製品に近い状態で行うことが好ましいためである。但し、電源コード部１２を取り付けるための部位は、まだ、カバー２１７を取り付けることなくまだ露出した状態にしておく。
【００３８】
検査及び調整等が終了して最終段階に入り、電源コード部１２を本体ケース２１１側に取り付ける際には、電源コード１２１先端を図３（Ａ）の矢印の方向に移動させて、固定金具２１４ａのバレル２１４ａ及び２１４ｂを位置決め手段として利用しつつ、すなわち、電源コード１２１の被覆部をバレル２１４ａ及び２１４ｂの間を通しつつ、導線１２１ａを半田ランド２１４ｄに沿わせるようにする。これと同時に、ブッシュ１２３をブッシュ固定部２１２ａに嵌合させる。この作業を容易にするために、両導線１２１ａの幅を両半田ランド２１４ｄの幅に合わせておくと共に、ブッシュ１２３をブッシュ固定壁２１２から半田ランド２１４ｄまでの距離に基づく所定位置に予め取り付けておくことが好ましい。
【００３９】
導線１２１ａを所定の半田ランド２１４ｄに沿わせた後には、図４（Ｂ）に示すように、電源コードがバレル２１４ａ及び２１４ｂにより加締め圧着される。そして、導線１２１ａを半田ランド２１４ｄに半田２１５付けする。最後に、カバー２１７が、本体ケース２１１に覆設される。
【００４０】
[第３実施形態]
次に、上述のような構成のガス漏れ警報器１及び２の製造時における流動方法について説明する。図５は、本発明の第３実施形態に係り、ガス漏れ警報器の製造時における流動方法を例示するフローチャートである。ステップＳ１の第１組立工程では、コードレス及びカバーレス製品の状態までガス漏れ警報器が組み立てが行われる。すなわち、上述の図１及び図３で示したように、電源コード部及びガバーを本体ケースに取り付ける作業を残して、ガス漏れ警報器に関する一連の組立作業が行われる。この状態では、ガス漏れ警報器は、電源供給しさえすれば、出荷製品と同様に動作する状態にある。
【００４１】
続いて、ステップＳ２の検査工程及びステップＳ３の調整工程に移行する。これらの工程では、上記電源供給ランドに対して、１００ボルトの試験用電源が一時的に供給され、ガス漏れ警報に関する検査やガス濃度調整等が行われる。この際、１００ボルトの試験用電源が供給される検査トレイに、例えば、図１に示したような状態のガス漏れ警報器が、そのパターン面側が下向きになるように搭載されて、電源供給ランドに電源供給ピンが接触するようになっている。このとき、電源コード部はまだ取り付けられていないので、検査や調整等に係る作業が非常に行いやすい。また、カバーが未装着である以外は、出荷製品と同じ状態であるので、出荷製品を想定した正確な濃度検査や調整を行うことができる。なお、ステップＳ２及びステップＳ３は、請求項の検査調整工程に対応する。
【００４２】
続いて、ステップＳ４の第２組立工程に移行する。この工程では、上述のようにして、電源コード部１２が本体ケースに装着されている基板に半田付けにより、取り付けられる。すなわち、第１実施形態の構成では、導線が導線通過スリット介して導線孔まで導かれたうえで半田付けされ、第２実施形態の構成では、電源コードがバレルにより加締め圧着されたうえで半田付けされる。このときには、基板のパターン面（実装面とは逆側）が露出されているので、半田付けが非常に行いやすい。補足すると、電源コード部を含む電子部品は、通常、実装面側から、それらの導線や端子が基板を貫通するように取り付けられた後、パターン面側で半田付けされるため、本願のように半田付けすべき電源コード部を後付けするためには、基板の実装面及びパターン面の両面を露出させる必要がある。ところが、図１及び図３で示したような位置決め手段により、パターン面側のみを露出させるだけでよくなる。これにより、電源コード部の取り付けも容易になるうえ、より出荷製品に近い状態での検査及び調整が可能になる。
【００４３】
そして、ステップＳ５の第３組立工程に移行して、本体ケースにカバーが取り付けられる。詳しくは、カバーを覆設する前に、電源コードに取り付けられたブッシュ１２３の下側を本体ケース側のブッシュ固定部に嵌合させておく。そして、ブッシュ１２３の上側を、カバーとブッシュ固定部とで挟み込むようにして、カバーを取り付ける。これにより、所望のガス漏れ警報器の一連の組立作業が完了する。
【００４４】
[変形例]
第１実施形態及び第２実施形態において、カバーは１ピース型及び２ピース型のいずれでもよい。但し、電源コード部を取り付けるための露出部位を残して、カバーはできるだけ小さくすることが検査及び調整の正確性の観点から好ましい。導線を半田付けする替わりに、導線に丸形圧着端子を取り付けておき、これを第２組立工程で基板にネジ止めするようにしてもよい。また、導線にコ字型のクリップピンを取り付けておきこれを第２組立工程で基板側に半田付けするようにしてもよいし、導線にオス型ピン（メス型ピン）を取り付けておきこれを第２組立工程で基板側に取り付けられたメス型ピン（オス型ピン）に挿入するようにしてもよい。また、本発明は、ガス漏れ警報器に適用すると特に有効であるが、電源コード部を有する電子機器であれば、他種機器であっても適用可能である。本発明は、その主旨の範囲内で種々の変形例が考えれるが、それらも含むものである。
【００４５】
このように、本実施形態によれば、図７の従来例で示したように、コネクタ等の付加部品を用いることなく、容易に最終段階で電源コード部を本体ケース側に取り付けることが可能になる。したがって、ガス漏れ警報器等の電子機器の製造時の作業性を大幅に向上させることができる
【図面の簡単な説明】
【００４６】
【図１】図１（Ａ）は、電源コード部の取り付け前のガス漏れ警報器の状態を示す斜視図であり、図１（Ｂ）は、図１（Ａ）の半田ランド近傍を示す正面図である。
【図２】図２（Ａ）は、電源コード部の取り付け後のガス漏れ警報器の状態を示す斜視図であり、図２（Ｂ）は、図２（Ａ）の半田ランド近傍を示す正面図である。
【図３】図３（Ａ）は、電源コード部の取り付け前のガス漏れ警報器の状態を示す断面図であり、図３（Ｂ）は、図３（Ａ）の半田ランド近傍を示す斜視図である。
【図４】図４（Ａ）は、電源コード部の取り付け後のガス漏れ警報器の状態を示す断面図であり、図４（Ｂ）は、図４（Ａ）の半田ランド近傍を示す斜視図である。
【図５】ガス漏れ警報器の製造時における流動方法を例示するフローチャートである。
【図６】従来のこの種のガス漏れ警報器の構成を示す図である。
【図７】従来のこの種の他のガス漏れ警報器の構成を示す図である。
【符号の説明】
【００４７】
１、２  ガス漏れ警報器（電子機器）
１１、２１  本体部
１２  電源コード部
１１１、２１１  本体ケース
１１２、２１２  ブッシュ固定壁
１１３、２１３  係止爪
１１４、２１４  基板
１１５、２１５  半田
２１４ａ  固定金具
１１４ｄ、２１４ｄ  半田ランド
１２１  コード
１２２  プラグ
１２３  ブッシュ
【図１】
2005116382.tif 000003
【図２】
2005116382.tif 000004
【図３】
2005116382.tif 000005
【図４】
2005116382.tif 000006
【図５】
2005116382.tif 000007
【図６】
2005116382.tif 000008
【図７】
2005116382.tif 000009